(57)【要約】【課題】  医師や看護師の手間を増やすことなく、投薬や採血等の処置時に物品と患者との照合を確実に行うことができ、かつ、入院中の患者の行動や、医師及び看護師等の行動を管理することも可能になる患者情報管理装置を提供すること。【解決手段】  本発明に係る患者情報管理装置は、病室におけるベッド近傍に設置される患者情報管理装置であって、ベッド近傍に設置可能な薄型モニタと、読取範囲をベッド近傍に限定したＲＦＩＤリーダーと、前記ＲＦＩＤリーダーを介して、識別情報が記憶されたＲＦタグを備えた前記読取範囲内にいる人及び／又は物から識別情報を自動的に読み取り、読み取った識別情報と、予め記憶したベッドを使用する患者の患者ＩＤとを照合し、照合結果を前記モニタに表示させると共に、前記読取範囲内にいる人及び／又は物から読み取った識別情報をメモリに経時的に記憶させる制御装置とを備えていることを特徴とする。【選択図】    図２
2020077015.tif 000002
【特許請求の範囲】
【請求項１】
病室におけるベッド近傍に設置される患者情報管理装置であって、
ベッド近傍に設置可能な薄型モニタと、
読取範囲をベッド近傍に限定したＲＦＩＤリーダーと、
前記ＲＦＩＤリーダーを介して、識別情報が記憶されたＲＦタグを備えた前記読取範囲内にいる人及び／又は物から識別情報を自動的に読み取り、読み取った識別情報と、予め記憶したベッドを使用する患者の患者ＩＤとを照合し、照合結果を前記モニタに表示させると共に、前記読取範囲内にいる人及び／又は物から読み取った識別情報をメモリに経時的に記憶させる制御装置と
を備えていることを特徴とする患者情報管理装置。
【請求項２】
前記薄型モニタ、ＲＦＩＤリーダー及び制御装置が一体に形成されている
ことを特徴とする請求項１に記載の患者情報管理装置。
【請求項３】
前記ＲＦＩＤリーダーの読取範囲が、ベッドの周囲１ｍ未満の範囲内に限定されている
ことを特徴とする請求項１又は２に記載の患者情報管理装置。
【請求項４】
患者が、患者ＩＤを記憶したＲＦタグを備えたリストバンドを装着し、
前記ＲＦＩＤリーダーで、読取範囲内にいる患者の前記リストバンドから自動的に患者ＩＤを読み取り、
読み取った患者ＩＤと、前記予め記憶したベッドを使用する患者の患者ＩＤとを照合し、照合結果が合致している場合に、前記モニタに患者氏名を表示させるように前記制御装置が構成されている
ことを特徴とする請求項１〜３の何れか一項に記載の患者情報管理装置。
【請求項５】
前記ＲＦＩＤリーダーが、読取範囲内にいる患者の前記リストバンドから連続的に患者ＩＤを読み取り、
前記制御装置が、読み取った患者ＩＤを読み取り時間と関連付けして記憶するように構成されている
ことを特徴とする請求項４に記載の患者情報管理装置。
【請求項６】
予め決めた所定の時間以上、ＲＦＩＤリーダーが患者のリストバンドから患者ＩＤを読み取れない場合に、モニタに警告情報を表示させるように制御装置が構成されている
ことを特徴とする請求項５に記載の患者情報管理装置。
【請求項７】
前記警告情報には、最後にリストバンドから患者ＩＤを読み取った時間が含まれる
ことを特徴とする請求項６に記載の患者情報管理装置。
【請求項８】
医師及び／又は看護師が、識別ＩＤを記憶したＲＦタグを装着しており、
前記ＲＦＩＤリーダーが、読取範囲に入った医師及び／又は看護師のＲＦタグから自動的に連続して識別ＩＤを読み取り、
制御装置が、読み取った識別ＩＤと読取時間と関連付けて記憶するように構成されている
ことを特徴とする請求項１〜７の何れか一項に記載の患者情報管理装置。
【請求項９】
医師からの採血オーダーに関連付けされた採血ＩＤを記憶したＲＦタグ付きラベルが各採血管に貼り付けられており、
前記ＲＦＩＤリーダーが、読取範囲に入った採血管のＲＦタグから自動的に採血ＩＤを読み取り、
制御装置が読み取った採血ＩＤと患者ＩＤとを照合し、その照合結果をモニタに表示させるように構成されている
ことを特徴とする請求項１〜８の何れか一項に記載の患者情報管理装置。
【請求項１０】
個別の薬剤ＩＤを記憶したＲＦタグが点滴薬袋に設けられており、
前記ＲＦＩＤリーダーが、読取範囲に入った点滴薬袋のＲＦタグから自動的に薬剤ＩＤを読み取り、
制御装置が読み取った薬剤ＩＤと患者ＩＤとを照合し、その照合結果をモニタに表示させるように構成されている
ことを特徴とする請求項１〜９の何れか一項に記載の患者情報管理装置。
【発明の詳細な説明】
【技術分野】
【０００１】
本発明は、病室におけるベッドサイドで、患者の行動、医師及び看護師の行動、及び／又は投薬、採血及び輸血等の処置の照合等を行う患者情報管理装置に関する。
【背景技術】
【０００２】
従来から、病院における患者の処置時に、患者の取り間違えを防止するために、処置に使用される物品（例えば、採血管、点滴薬、輸血パック等）に、識別情報を記憶したＲＦタグを取り付け、処置時に、処置に使用される物品と患者との照合を行うことが提案されている。
具体的には、例えば、投薬の場合、点滴薬等にＲＦタグを設け、投薬時に点滴薬のＲＦタグから薬剤ＩＤを読み取り、読み取った薬剤ＩＤと患者ＩＤとを照合することが提案されている（特許文献１）。
また、例えば、採血の場合、患者の採血に使用する各採血管にＲＦＩＤを設け、採血時に採血管のＲＦＩＤから検査ＩＤを読み取り、読み取った検査ＩＤと患者ＩＤとを照合することが行われている。
【先行技術文献】
【特許文献】
【０００３】
【特許文献１】特開2012-5756号公報
【発明の概要】
【発明が解決しようとする課題】
【０００４】
しかし、上記した従来提案されている照合方法では、特許文献１に代表されるように、物品や患者から識別情報を読み取って照合するための専用の装置が、処置の種類毎に提供されている。具体的には、特許文献１においては、薬剤ＩＤと患者ＩＤとを読み取るリーダー及び照合装置が、輸液ポンプに設けられており、従って、点滴以外の場面で使用することはできない。
上記したように、従来は、ＲＦタグを用いて照合を行う場合、点滴による投薬の時には投薬専用の照合システムを使用し、採血の場合には採血専用の照合システムを使用しなければならないため、照合システムの導入コストが上がり、また、それぞれ使用方法が異なるため操作が煩雑になるという問題点があった。
上記した問題を解決するために、ＲＦＩＤリーダーと照合装置とを備えた携帯端末を医師や看護師が持つことも考えらえるが、医師や看護師が患者の処置をする度に、患者の元へ携帯端末を持って行き、さらに、現場で照合操作を行うのは面倒な作業である。さらに、医師や看護師が携帯端末を持って行くことを忘れた場合、照合ができないという問題もある。
さらに、物品やリストバンドにＲＦタグを設けているにも拘わらず、そのＲＦタグに記憶された識別情報が照合のためにしか使用されておらず、ＲＦタグに記憶された識別情報を、さらに少し有効に使用することが望ましい。
本発明は、上記した従来の問題点を解決し、医師や看護師の手間を増やすことなく、投薬や採血等の処置時に物品と患者との照合を確実に行うことができ、かつ、入院中の患者の行動や、医師及び看護師等の行動を管理することも可能になる患者情報管理装置を提供することを目的としている。
【課題を解決するための手段】
【０００５】
上記した目的を達成するために、本発明に係る患者情報管理装置は、病室におけるベッド近傍に設置される患者情報管理装置であって、ベッド近傍に設置可能な薄型モニタと、読取範囲をベッド近傍に限定したＲＦＩＤリーダーと、前記ＲＦＩＤリーダーを介して、識別情報が記憶されたＲＦタグを備えた前記読取範囲内にいる人及び／又は物から識別情報を自動的に読み取り、読み取った識別情報と、予め記憶したベッドを使用する患者の患者ＩＤとを照合し、照合結果を前記モニタに表示させると共に、前記読取範囲内にいる人及び／又は物から読み取った識別情報をメモリに経時的に記憶させる制御装置とを備えていることを特徴とする。
前記薄型モニタ、ＲＦＩＤリーダー及び制御装置は一体に形成され得る。
前記ＲＦＩＤリーダーの読取範囲は、好ましくは、ベッドの周囲約１ｍの範囲内に限定される。
患者が、患者ＩＤを記憶したＲＦタグを備えたリストバンドを装着し、前記ＲＦＩＤリーダーで、読取範囲内にいる患者の前記リストバンドから自動的に患者ＩＤを読み取り、読み取った患者ＩＤと、前記予め記憶したベッドを使用する患者の患者ＩＤとを照合し、照合結果が合致している場合に、前記モニタに患者氏名を表示させるように前記制御装置は構成され得る。
また、この場合、前記ＲＦＩＤリーダーが、読取範囲内にいる患者の前記リストバンドから連続的に患者ＩＤを読み取り、前記制御装置が、読み取った患者ＩＤを読み取り時間と関連付けして記憶するように構成してもよい。
さらに、この場合、予め決めた所定の時間以上、ＲＦＩＤリーダーが患者のリストバンドから患者ＩＤを読み取れない場合に、モニタに警告情報を表示させるように制御装置を構成してもよい。前記警告情報には、最後にリストバンドから患者ＩＤを読み取った時間を含むことができる。
また、医師及び／又は看護師が、識別ＩＤを記憶したＲＦタグを装着し、前記ＲＦＩＤリーダーが、読取範囲に入った医師及び／又は看護師のＲＦタグから自動的に連続して識別ＩＤを読み取り、制御装置が、読み取った識別ＩＤと読取時間と関連付けて記憶するように構成することができる。
さらに、医師からの採血オーダーに関連付けされた採血ＩＤを記憶したＲＦタグ付きラベルを各採血管に貼り付け、前記ＲＦＩＤリーダーが、読取範囲に入った採血管のＲＦタグから自動的に採血ＩＤを読み取り、制御装置が読み取った採血ＩＤと患者ＩＤとを照合し、その照合結果をモニタに表示させるように構成することもできる。
また、個別の薬剤ＩＤを記憶したＲＦタグが点滴薬袋に設けられており、前記ＲＦＩＤリーダーが、読取範囲に入った点滴薬袋のＲＦタグから自動的に薬剤ＩＤを読み取り、制御装置が読み取った薬剤ＩＤと患者ＩＤとを照合し、その照合結果をモニタに表示させるように構成することもできる。
【発明の効果】
【０００６】
本発明に係る患者情報管理装置は、病室におけるベッド近傍に設置される患者情報管理装置であって、ベッド近傍に設置可能な薄型モニタと、読取範囲をベッド近傍に限定したＲＦＩＤリーダーと、前記ＲＦＩＤリーダーを介して、識別情報が記憶されたＲＦタグを備えた前記読取範囲内にいる人及び／又は物から識別情報を自動的に読み取り、読み取った識別情報と、予め記憶したベッドを使用する患者の患者ＩＤとを照合し、照合結果を前記モニタに表示させると共に、前記読取範囲内にいる人及び／又は物から読み取った識別情報をメモリに経時的に記憶させる制御装置とを備えているので、一つの装置で、病室における患者の行動、医師及び看護師の行動、及び／又は投薬や採血等の処置をする時の物品と患者との照合を行うことが可能になる。また、本発明に係る情報管理装置は、ＲＦＩＤリーダー及び照合を行う制御装置がベッド近傍に設けられているため、医師や看護師がＲＦＩＤリーダーや照合装置を持ち運ぶ必要がなく、また、照合のための特別な操作をする必要もないので、医師や看護師の負担を増やすことなく照合を含む情報管理を行うことが可能になる。
前記薄型モニタ、ＲＦＩＤリーダー及び制御装置を一体に形成することによって、ベッド近傍への設置や移動が簡単になる。
前記ＲＦＩＤリーダーの読取範囲を、ベッドの周囲約１ｍの範囲内に限定することで、そのベッドを使用する患者に対する情報のみを読み取ることが可能になる。例えば、薬剤等の処置に使用する物品を収容する電波遮断性材料で形成された収容ケースを使用することで、例えば、複数の患者の薬剤を持って看護師が病棟の各ベッドの患者を周る場合等に、ＲＦＩＤリーダーが他人の患者の薬剤から薬剤ＩＤを読み取る等の問題が生じない。
患者が、患者ＩＤを記憶したＲＦタグを備えたリストバンドを装着し、前記ＲＦＩＤリーダーが、前記リストバンドから患者ＩＤを自動的に読み取り、読み取った患者ＩＤと、そのベッドを使用する患者の患者ＩＤとを照合し、照合結果をモニタに表示するように構成することで、そのベッドに別の患者が寝ているような場合でも、投薬等の時に患者の取り間違えをする危険がない。
前記ＲＦＩＤリーダーが、連続的にリストバンドから患者ＩＤを読み取り、読み取った情報を読み取り時間と関連付けして記憶することで、患者がベッドから離れた時間を正確に把握することが可能になる。
予め決めた所定の時間以上、ＲＦＩＤリーダーが患者のリストバンドから患者ＩＤを読み取れない場合に、モニタに警告情報を表示するように構成することで、患者の容体がベッドから離れている時に急変した場合でも、早期に患者を発見し、早期に治療をすることが可能になる。また、この場合、好ましくは、前記警告情報は、有線又は無線で接続された上位コンピュータにも送信され得る。
前記警告情報に、最後にリストバンドから患者ＩＤを読み取った時間を含めることで、患者がベッドから離れた時刻を確認することが可能になるので、患者の早期発見に繋がる。
医師及び／又は看護師に、識別ＩＤを記憶したＲＦタグを装着させ、前記ＲＦＩＤリーダーで、読取範囲に入った医師及び／又は看護師のネームプレートから連続的に識別ＩＤを読み取り、読取時間と関連付けて記憶することにより、ベッドサイドに来た医師及び又は看護師、ベッドサイドに来た時間及び滞在時間を管理することが可能になる。
医師からの採血オーダーに関連付けされた採血ＩＤを記憶したＲＦタグ付きラベルが各採血管に貼り付けられており、前記ＲＦＩＤリーダーは、読取範囲に入った採血管のＲＦタグから採血ＩＤを読み取り、読み取った採血ＩＤと患者ＩＤとを照合し、その照合結果をモニタに表示するように構成することで、看護師等は採血時に照合のために特別な操作を行う必要なく、採血管を取り出すだけで自動的に照合が行われるので、看護師等に対する負担が軽減し、かつ、照合をし忘れることもなくなる。この場合、望ましくは、採血管は、電波遮断材料で形成された収容ケースの中に入れられており、ＲＦＩＤリーダーは、前記収容ケースから出した採血管のＲＦタグからだけ採血ＩＤの読み込みを行う。
個別の薬剤ＩＤを記憶したＲＦタグを点滴薬袋に設け、前記ＲＦＩＤリーダーで、読取範囲に入った点滴薬袋から薬剤ＩＤを読み取り、読み取った薬剤ＩＤと患者ＩＤとを照合し、その照合結果をモニタに表示するように構成することで、看護師等は点適時に照合のために特別な操作を行う必要なく、点滴薬袋を取り出すだけで自動的に照合が行われるので、看護師等に対する負担が軽減し、かつ、照合をし忘れることもなくなる。
【図面の簡単な説明】
【０００７】
【図１】本発明に係る患者情報管理装置を設置した病室のベッド周辺の状態を示す概略図である。
【図２】本発明に係る患者情報管理装置の概略ブロック図である。
【発明を実施するための形態】
【０００８】
以下、添付図面に示した一実施例を参照して、本発明に係る患者情報管理装置の実施の形態を説明していく。
【０００９】
図１は、本発明に係る患者情報管理装置が設けられたベッド周辺の概略図を示しており、図２は、患者情報管理装置の構成を示す概略ブロック図を示している。
図中、符号１は患者情報管理装置を示しており、この患者情報管理装置１は、モニタ２、ＲＦＩＤリーダー３、制御装置４及びメモリ５を一体的に形成してなり、例えば、ＲＦＩＤリーダー３を備えたタブレットコンピュータで構成され得る。
患者情報管理装置１は、ベッド近傍に、モニタ２が見えるように設置される。患者情報管理装置１には、予めベッドを使用する患者の患者ＩＤが記憶され、モニタ２は、患者ＩＤに関連付けして記憶された患者の氏名、性別、年齢、血液型、主治医、禁忌事項等を表示し、従来、患者名を手書き又は印刷してベッドに取り付けられていたネームプレートとして機能する。患者情報管理装置１への患者ＩＤの登録は、医事課において、入院手続の時に登録されたデータを使用して行われ、具体的には、電子カルテが採用されている施設の場合には、適当なインターフェースを介して電子カルテの情報から患者情報管理装置１に患者ＩＤが登録され、また、電子カルテが採用されていない施設の場合には、手入力で患者ＩＤが登録され得る。モニタに表示する患者の氏名、性別、年齢、血液型、主治医、禁忌事項等の情報は、患者情報管理装置１が電子カルテ情報等を管理する上位コンピュータに接続されている場合には、登録された患者ＩＤに基づいて上位コンピュータから取得され得る。患者情報管理装置１が上位コンピュータに接続されてなく、オフラインで動作する場合は、モニタに表示する患者の氏名、性別、年齢、血液型、主治医、禁忌事項等の情報は、予め患者ＩＤと関連付けして患者情報管理装置１に登録され得る。
この実施例では、患者情報管理装置１は、有線又は無線で、電子カルテ情報等を管理する上位コンピュータに接続されている。
また、患者情報管理装置１におけるＲＦＩＤリーダー３の読取範囲、即ち、ＲＦＩＤリーダー３から発する電波の範囲は、図１に点線で示すようにベッドの周囲約１ｍ未満、好ましくは、５０ｃｍ程度に収まるように調整され得る。
ＲＦＩＤリーダー３は、好ましくは、常時電波を発信して読取範囲に入ったＲＦタグに記憶された識別情報を連続的に読み取るように構成される。
上記したように構成された患者情報管理装置１では、ＲＦＩＤリーダー３によって読取範囲内にあるＲＦタグから読み取った識別情報を、読取時間と関連付けしてメモリ５に記憶すると共に、必要に応じて、前記読み取った識別情報を予め記憶した患者ＩＤと照合して、その照合結果をモニタ２に表示させるように制御装置４が構成されている。
以下に、患者情報管理装置１の具体的な動作について説明をしていく。
【００１０】
（患者行動管理機能）
患者Ｐは、患者ＩＤを記憶したＲＦタグを備えたリストバンド１０を装着している。
患者Ｐが、ＲＦＩＤリーダー３の読取範囲に入ると、ＲＦＩＤリーダー３は自動的に患者Ｐのリストバンド１０から患者ＩＤを読み取り、制御装置４は、ＲＦＩＤリーダー３が読み取った患者ＩＤと読取時間と関連付けしてメモリ５に記憶させる。
ＲＦＩＤリーダー３は、上記したように常時電波を発信して読取範囲に入ったＲＦタグの情報を連続的に読み取るため、患者Ｐのリストバンド１０から患者ＩＤが連続的に読み取られることになる。
制御装置４は、ＲＦＩＤリーダー３が読み取った患者ＩＤと、予め記憶した患者ＩＤとを照合し、両者が合致している場合には、ベッドに正しい患者がいると判断して、モニタ２に照合結果が正しいことを表示させる。具体的には、例えば、ベッドに正しい患者がいると判断した場合には、モニタ２の背景を青色にし、ベッドに正しい患者がいない場合には、モニタ２の背景を赤色にする。また、例えば、照合結果が正しくない場合だけ「ＮＧ」を表示するように構成してもよい。照合結果の表示方法は、医師や看護師等の病院スタッフが認識できる方法であれば任意の方法でよい。
また、モニタ２に表示させる情報は、上記した情報に限定されることなく、任意に設定することができ、例えば、退院予定日や検査日程等を表示してもよい。
また、制御装置４は、ＲＦＩＤリーダー３が読み取った患者ＩＤと予め記憶した患者ＩＤとが一致しない場合、さらに、予め記憶した患者ＩＤと一致する患者ＩＤをＲＦＩＤリーダー３が所定の時間以内に読み取っているか否かを判断し、所定の時間以内に予め記憶した患者ＩＤと一致する患者ＩＤをＲＦＩＤリーダー３が読み取っていない場合には、ベッドに間違った患者がいると判断して、モニタ２にエラー情報（例えば、背景を赤にする）を表示させる。所定の時間以内に予め記憶した患者ＩＤと一致する患者ＩＤをＲＦＩＤリーダー３が読み取っている場合には、読取範囲内に正しい患者と、それ以外の患者がいると判断してモニタ２には照合結果が正常であること（例えば、背景を青にする）を表示する。
さらに、制御装置４は、予め決めた限界時間以上、ＲＦＩＤリーダー３から正しい患者ＩＤの入力がない場合、患者が長時間ベッドにいないと判断して、警告情報をモニタ２に表示させる。前記限界時間は、任意に設定することができ、また、時間帯によって変更することができる。即ち、昼間は限界時間をある程度長く設定するが、夜間は限界時間を短く設定することが可能である。前記警告情報には、ＲＦＩＤリーダー３が最後に患者ＩＤを読み取った時間が含まれることが好ましい。これにより、緊急時に患者Ｐが何時からベッドに居ないのかを一目で確認することができるため、患者の早期発見に繋がる。また、制御装置４は、好ましくは、前記警告情報を上位コンピュータにも送信するように構成され得る。これにより、例えば、ナースステーション等で患者がベッドから長時間離れていることを早期に知ることが可能になる。
【００１１】
（医師及び看護師の行動管理機能）
医師又は看護師Ｄは、識別ＩＤを記憶したＲＦタグを備えたネームプレート１１を装着している。
医師又は看護師Ｄが、ＲＦＩＤリーダー３の読取範囲に入ると、ＲＦＩＤリーダー３は自動的に医師又は看護師Ｄのネームプレート１１から識別ＩＤを読み取り、制御装置４は、ＲＦＩＤリーダー３が読み取った識別ＩＤと読取時間と関連付けしてメモリ５に記憶させる。
ＲＦＩＤリーダー３は、上記したように常時電波を発信して読取範囲に入ったＲＦタグの情報を連続的に読み取るため、医師又は看護師Ｄのネームプレート１１から識別ＩＤが連続的に読み取られることになり、結果として、医師又は看護師Ｄがベッドサイドに来た時間及び滞在時間に関する情報を蓄積することができる。
【００１２】
（採血時の採血管照合機能）
医師又は看護師Ｄが患者から採血を行う時に使用される採血管１２には、医師からの採血オーダーに関連付けされた採血ＩＤを記憶したＲＦタグが設けられている。
医師又は看護師Ｄが、ＲＦＩＤリーダー３の読取範囲内で、採血管１２を使用して採血をする時に、ＲＦＩＤリーダー３は、採血管１２に設けられたＲＦタグから採血ＩＤを読み取る。制御装置４は、採血ＩＤに基づいて上位コンピュータから患者ＩＤを含む採血情報を読み出し、採血ＩＤと患者ＩＤとの照合を行い、照合結果をモニタ２に表示させる。尚、採血管１２のＲＦタグに記憶される情報は本実施例に限定されることなく、例えば、採血管１２のＲＦタグに、採血をするべき患者の患者ＩＤを記憶させておけば、制御装置４は、ＲＦＩＤリーダー３で読み取った患者ＩＤと、予め記憶した患者ＩＤとを照合するだけでよく、上位コンピュータから採血情報を読み出す必要はない。
このように、医師又は看護師Ｄがベッドサイドで採血の準備をしている段階で、患者情報管理装置１が自動的に採血管の照合を行うので、医師又は看護師Ｄは、特別な照合操作を行う必要なく、採血時にモニタ２で、使用する採血管１２が正しい採血管であるか否かを確認することができるようになる。
また、制御装置４は、上述のように医師又は看護師Ｄのネームプレート１１から識別ＩＤを読み取り、医師又は看護師Ｄのベッドサイドにおける滞在時間に関するデータを蓄積しているので、採血管１２の照合情報と併せて、何時、誰が、どの程度の時間をかけて、何本の採血管に採血を行ったかを管理することが可能になる。
【００１３】
（点適時の点滴液袋照合機能）
医師又は看護師Ｄが患者に点滴を行う時に使用される点滴薬袋１３には、医師からの投薬オーダーに関連付けされた薬剤ＩＤを記憶したＲＦタグが設けられている。
医師又は看護師Ｄが、ＲＦＩＤリーダー３の読取範囲内で、点滴薬袋１３をセットして点滴を行う時に、ＲＦＩＤリーダー３は、点滴薬袋１３に設けられたＲＦタグから薬剤ＩＤを読み取る。制御装置４は、予め記憶した患者ＩＤに基づいて上位コンピュータから患者の投薬情報を読み出し、投薬情報に含まれる薬剤ＩＤと、ＲＦＩＤリーダー３が読み取った薬剤ＩＤとの照合を行い、照合結果をモニタ２に表示させる。ここで投薬情報とは、医師からの投薬に関するオーダーの情報であり、投薬するべき患者ＩＤ、投薬時間、投薬すべき薬剤を識別する薬剤ＩＤ等が含まれる。尚、点滴薬袋１３のＲＦタグに記憶される情報は本実施例に限定されることなく、例えば、点滴薬袋１３のＲＦタグに、点滴をするべき患者の患者ＩＤを記憶させておけば、制御装置４は、ＲＦＩＤリーダー３で読み取った患者ＩＤと、予め記憶した患者ＩＤとを照合するだけでよく、上位コンピュータから投薬情報を読み出す必要はない。
このように、医師又は看護師Ｄがベッドサイドで点滴の準備をしている段階で、患者情報管理装置１が自動的に点滴薬袋１３の照合を行うので、医師又は看護師Ｄは、特別な照合操作を行う必要なく、点滴開始時にモニタ２で、使用する点滴薬袋１３が正しい点滴薬袋であるか否かを確認することができるようになる。
また、制御装置４は、上述のように医師又は看護師Ｄのネームプレート１１から識別ＩＤを読み取り、医師又は看護師Ｄのベッドサイドにおける滞在時間に関するデータを蓄積しているので、点滴薬袋１３の照合情報と併せて、何時、誰が、何の点滴薬袋１３を使用して患者に対して点滴を行ったかを管理することが可能になる。
さらに、ＲＦＩＤリーダー３は、読取範囲内に入ったＲＦタグから連続的に識別情報を読み取り、読取時間と共に識別情報を記憶するように構成されているため、点滴時間の管理をすることも可能になる。
【００１４】
医師又は看護師Ｄは、複数の患者に対する処置を行うために、複数の患者用の物品を持って病室のベッドを周ることがある。このような場合、患者情報管理装置１が、その場で使用しない他の患者用の物品の識別情報を読み取って照合エラーが発生してしまうことを防止するために、例えば、電波遮断性材料で形成された収容ケースに患者の処置に使用する物品を入れて持ち運ぶことが考えられる。
医師又は看護師Ｄは、ＲＦＩＤリーダー３の読取範囲の外で、収容箱から患者の処置に使用する物品（薬剤、採血管等）を取り出して、患者に対して処置を行うことで、患者情報管理装置１が、その場で使用しない他の患者用の物品の識別情報を誤って読み取ってしまうことがない。
【００１５】
病室が個室の場合には、ＲＦＩＤリーダー３の読取範囲を厳密に制御しなくても誤読取の問題は生じないが、病室に複数のベッドがある場合には、隣接するベッドにおいて使用する物品や、隣接するベッドに来た医師又は看護師等から識別情報を読み取る誤読取の問題が生じる可能性がある。このような問題を解決するために、例えば、ベッドを囲むカーテンを、電波遮断性材料で形成し、患者に対して何等かの処置をしている間は、カーテンを閉めるようにすることで、誤読取の問題は解決され得る。
【００１６】
上記した実施例では、患者情報管理装置１は、モニタ２、ＲＦＩＤリーダー３、制御装置４及びメモリ５を一体に形成して成るが、患者情報管理装置１の構成は本実施例に限定されることなく、例えば、モニタ２、制御装置４及びメモリ５をタブレットコンピュータで構成すると共に、ＲＦＩＤリーダー３は別体とし、タブレットコンピュータとＲＦＩＤリーダー３とを有線又は無線で接続するように構成してもよい。
【００１７】
上記した実施例では、患者情報管理装置１は、ＲＦＩＤリーダー３を備えているが、この構成は本実施例に限定されることなく、例えば、ＲＦＩＤリーダー３の代わりにＲＦＩＤリーダー・ライターを設けてもよい。この場合、例えば、ＲＦＩＤリーダー・ライターを用いて、ベッドサイドで患者ＩＤを書き込んだＲＦＩＤを備えたリストバンドを発行することも可能になる。
また、上記した実施例では、採血時又は投薬時に、採血管又は点滴薬袋のＲＦタグから読み取った識別情報と、患者ＩＤとを照合する例を挙げて説明をしているが、本発明に係る患者情報管理装置１が照合を行う対象は、本実施例に限定されることなく、例えば、輸血パック等、患者の処置に使用する他の物品についても同様に照合をすることができることは言うまでもない。
【符号の説明】
【００１８】
１  患者情報管理装置
２  モニタ
３  ＲＦＩＤリーダー
４  制御装置
５  メモリ
１０  リストバンド
１１  リストバンド
１２  採血管
１３  点滴薬袋
Ｐ  患者
Ｄ  医師又は看護師
【図１】
2020077015.tif 000003
【図２】
2020077015.tif 000004